【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
基板と、
前記基板上に設けられた太陽電池膜と、
バスバーと、
を具備し、
前記太陽電池膜は、短冊状の複数の発電セルに分割されており、
前記複数の発電セルは電気的に直列に接続されており、
前記バスバーは、電気的に両端の前記発電セルの夫々に対して設けられ、
前記バスバーは、導電性物質を含むペースト状の原料を焼成して得られる焼成電極である太陽電池モジュール。
【請求項２】
請求項１に記載された太陽電池モジュールであって、
更に、
前記バスバーの夫々に対応し、前記バスバー上に設けられた取出し部と、
前記取出し部に対応する位置に配置され、前記バスバーから外部へ電力を取り出す為の配線を収納する端子箱と
を具備し、
前記端子箱は、基板上で発電セルの直列接続方向の両端側のバスバー上に夫々取り付けられ、
前記配線は、前記取出し部を介して前記バスバーから外部へ電力が取り出されるようにされている太陽電池モジュール。
【請求項３】
請求項１又は２に記載された太陽電池モジュールであって、
前記焼成電極は、ＡｇとＳｉＯ２とを含み、
前記焼成電極の主成分は、Ａｇである太陽電池モジュール。
【請求項４】
請求項１乃至３のいずれかに記載された太陽電池モジュールであって、
前記太陽電池膜は、
透明導電層と、
光電変換層と、
裏面電極層と、
を含み、
前記バスバーは、前記透明導電層上に設けられている太陽電池モジュール。
【請求項５】
請求項１乃至４のいずれかに記載された太陽電池モジュールであって、
前記バスバーの厚みは、１５μｍ以上〜５０μｍ以下である太陽電池モジュール。
【請求項６】
請求項１乃至５のいずれかに記載された太陽電池モジュールであって、
更に、
前記太陽電池膜を被覆する裏面保護材
を具備し、
前記裏面保護材は、単一のシート材である太陽電池モジュール。
【請求項７】
請求項６に記載された太陽電池モジュールであって、
前記裏面保護材は、非金属製のシート材である太陽電池モジュール。
【請求項８】
請求項７に記載された太陽電池モジュールであって、
前記裏面保護材は、エチレン・プロピレンゴムを主成分とするシート材である太陽電池モジュール。
【請求項９】
請求項１乃至８のいずれかに記載された太陽電池モジュールと、
前記太陽電池モジュールを載置するベースと、
前記太陽電池モジュールを前記ベースに対して固定する複数の固定部材と、
を具備し、
前記太陽電池モジュールは、複数の固定点で、前記複数の固定部材により固定される太陽電池パネル。
【請求項１０】
請求項９に記載された太陽電池パネルであって、
前記ベースは、リブ構造および貫通構造のうち、少なくともどちらか一方を有している太陽電池パネル。
【請求項１１】
請求項９乃至１０のいずれかに記載された太陽電池パネルであって、
前記ベースは、プラスチック製または金属製である太陽電池パネル。
【請求項１２】
基板上に、短冊状の複数の発電セルに分割された太陽電池膜を形成する太陽電池膜形成工程と、
前記太陽電池膜の一部に、バスバーを接続するバスバー形成工程と、
前記バスバーから外部へ電力を取り出す為の配線を収納する端子箱を形成する端子箱取り付け工程と、を具備し、
前記複数の発電セルは電気的に直列に接続されており、
前記バスバー形成工程において、前記バスバーは、電気的に両端の前記発電セルの夫々に接続されるように形成され、
前記バスバー形成工程は、
導電性物質を含むペースト状の原料を塗布する塗布する工程と、
塗布された原料を焼成して焼成電極にする焼成工程と、
を有しており、
前記端子箱取り付け工程において、前記端子箱は、基板上において、前記発電セルの直列接続方向の両端側に夫々取り付けられる太陽電池モジュールの製造方法。
【請求項１３】
請求項１２に記載された太陽電池モジュールの製造方法であって、
前記太陽電池膜形成工程は、
前記基板上に透明導電層を形成する透明導電層形成工程と、
前記透明導電層の形成された基板上に光電変換層を形成する光電変換層形成工程と、
前記光電変換層の形成された基板上に裏面電極層を形成する裏面電極層形成工程と、
を含み、
前記バスバー形成工程は、前記透明導電層形成工程と前記光電変換層形成工程との間に実施される太陽電池モジュールの製造方法。
【請求項１４】
請求項１２又は１３に記載された太陽電池モジュールの製造方法であって、
前記焼成工程において、３００℃以上５００℃以下の温度で焼成する太陽電池モジュールの製造方法。
【請求項１５】
請求項１３又は１４に記載された太陽電池モジュールの製造方法であって、
更に、
前記裏面電極層形成工程より後に実施され、前記裏面電極層と前記光電変換層とを除去して前記バスバーの少なくとも一部を露出させるバスバー露出工程を具備する太陽電池モジュールの製造方法
【請求項１６】
太陽電池モジュールと、
前記太陽電池モジュールを載置するベースと、
前記太陽電池モジュールを前記ベースに対して固定する複数の固定部材と、
を具備し、
前記太陽電池モジュールは、複数の固定点で、前記複数の固定部材により固定される太陽電池パネル。
【請求項１７】
請求項１６に記載された太陽電池パネルであって、
前記ベースは、リブ構造および貫通構造のうち、少なくともどちらか一方を有している太陽電池パネル。
【請求項１８】
請求項１６又は請求項１７に記載された太陽電池パネルであって、
前記ベースは、プラスチック製又は金属製である太陽電池パネル。
【手続補正２】
【補正対象書類名】明細書
【補正対象項目名】００１７
【補正方法】変更
【補正の内容】
【００１７】
上記の太陽電池モジュール（２０）は、更に、バスバー（３）の夫々に対応し、前記バスバー（３）上に設けられた取出し部（１０）と、前記取出し部（１０）に対応する位置に配置され、前記バスバー（３）から外部へ電力を取り出す為の配線を収納する端子箱（１２）とを具備する事が好ましい。前記端子箱（１２）は、基板（１）上で発電セル（９）の直列接続方向の両端側のバスバー（３）上に夫々取り付けられ、前記配線は、前記取出し部（１０）を介して前記バスバー（３）から外部へ電力が取り出されるようにされている。
【手続補正３】
【補正対象書類名】明細書
【補正対象項目名】００２６
【補正方法】変更
【補正の内容】
【００２６】
本発明にかかる太陽電池パネル（３０）は、上記の太陽電池モジュール（２０）と、太陽電池モジュール（２０）を載置するベース（１４）と、太陽電池モジュール（２０）をベース（１４）に対して固定する複数の固定部材（１７）と、を具備する。太陽電池モジュール（２０）は、複数の固定点で、複数の固定部材（１７）により固定される。その複数の固定点の数は、太陽電池モジュール（２０）に強度上要求される耐力に応じて強度検討によって決定される数である。
上記太陽電池パネル（３０）において、前記ベース（１４）は、リブ構造（１３）および貫通構造のうち、少なくともどちらか一方を有していることが好ましい。
【手続補正４】
【補正対象書類名】明細書
【補正対象項目名】００３０
【補正方法】変更
【補正の内容】
【００３０】
本発明にかかる太陽電池モジュールの製造方法は、基板（１）上に、短冊状の複数の発電セル（９）に分割された太陽電池膜（４０）を形成する太陽電池膜形成工程と、太陽電池膜（４０）の一部に、バスバー（３）を接続するバスバー形成工程（ステップＳ２０）と、バスバー（３）から外部へ電力を取り出す為の配線を収納する端子箱（１２）を形成する端子箱取り付け工程（ステップＳ１１０）と、を具備する。複数の発電セル（９）は電気的に直列に接続されている。バスバー形成工程（Ｓ２０）において、バスバー（３）は、電気的に両端の発電セル（９）の夫々に接続されるように形成される。バスバー形成工程（Ｓ２０）は、導電性物質を含むペースト状の原料を塗布する塗布する工程と、塗布された原料を焼成して焼成電極にする焼成工程と、を有している。端子箱取り付け工程（Ｓ１１０）において、端子箱（１２）は、基板（１）上において、発電セル（９）の直列接続方向の両端側に夫々取り付けられる。
【手続補正５】
【補正対象書類名】明細書
【補正対象項目名】００３１
【補正方法】削除
【補正の内容】
【手続補正６】
【補正対象書類名】明細書
【補正対象項目名】００３５
【補正方法】削除
【補正の内容】
【手続補正７】
【補正対象書類名】明細書
【補正対象項目名】００３６
【補正方法】削除
【補正の内容】
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】変更
【補正の内容】
【００３８】
本発明にかかる太陽電池パネルは、太陽電池モジュールと、前記太陽電池モジュールを載置するベース（１４）と、前記太陽電池モジュールを前記ベース（１４）に対して固定する複数の固定部材（１７）と、具備し、前記太陽電池モジュールは、複数の固定点で、前記複数の固定部材（１７）により固定される。
上記太陽電池パネルであって、前記ベース（１４）は、リブ構造（１３）および貫通構造のうち、少なくともどちらか一方を有していることが好ましい。